(57)【要約】【課題】作業に必要な情報等の情報内容の表示を確認しやすく、多くの情報内容を一度に表示することができ、作業に支障が出ないようにすることができる表示機能を有する処理装置を提供する。【解決手段】表示機能を有する処理装置としてのヒュームフード１は、作業空間２０と作業空間２０に通じる開口部としての前面開口部４を有し、作業空間２０で作業を行う際に前面開口部４を通じて空気を作業空間２０内に送る本体部２と、本体部２に設けられて本体部２の前面開口部４を開閉でき、作業空間２０内を観察可能な開閉扉としての可動ガラス扉５を有する。この可動ガラス扉５には、情報内容を表示するための表示装置３０（２３０）が配置されている。【選択図】図３
2020037078.tif 000002
【特許請求の範囲】
【請求項１】
作業空間と前記作業空間に通じる開口部を有する本体部と、
前記本体部に設けられて前記本体部の前記開口部を開閉でき、前記作業空間内を観察可能な開閉扉と、を有し、
前記開閉扉には、情報内容を表示するための平坦な表示装置が配置されていることを特徴とする表示機能を有する処理装置。
【請求項２】
前記表示装置は、前記開閉扉の全面に配置され、前記作業空間内を観察可能とする透光性を有していることを特徴とする請求項１に記載の表示機能を有する処理装置。
【請求項３】
前記表示装置は、有機エレクトロルミネッセンス表示パネルであることを特徴とする請求項１または２に記載の表示機能を有する処理装置。
【請求項４】
前記表示装置は、液晶表示パネルであることを特徴とする請求項１または２に記載の表示機能を有する処理装置。
【請求項５】
前記表示装置は、前記情報内容を別々に表示可能な複数の区分表示領域を有することを特徴とする請求項１乃至４のいずれかに記載の表示機能を有する処理装置。
【発明の詳細な説明】
【技術分野】
【０００１】
本発明は、例えば作業空間を用いて実験等の作業を行うヒュームフード等の表示機能を有する処理装置に関する。
【背景技術】
【０００２】
特許文献１には、調剤用のクリーンベンチが記載されており、このクリーンベンチは、作業テーブルと、この作業テーブルの上側の作業空間を覆うケースを備えたクリーンベンチ本体を有している。クリーンベンチ本体は、ケースに形成された作業用開口と、この作業用開口を開閉可能な開閉体を有する。
【０００３】
クリーンベンチ本体は、投影用のプロジェクタを備えている。このプロジェクタは、クリーンベンチ本体の前面側において、作業者側に突出するようにして、外付けで取り付けられている。プロジェクタは、開閉体の前面において、左側上の小さな投影範囲において投影部を形成可能である。プロジェクタが小さな投影範囲において投影部に表示させる表示情報は、調剤作業に必要な処方箋情報、処方薬情報、調剤手順情報等である。
【先行技術文献】
【特許文献】
【０００４】
【特許文献１】特許第４５５３３５８号公報
【発明の概要】
【発明が解決しようとする課題】
【０００５】
このようにプロジェクタは、クリーンベンチ本体の前面側に突出するようにして外付けで取り付けられており、このプロジェクタは表示情報を、開閉体の前面の一部分に形成した小さな投影範囲の投影部においてしか表示できない。
【０００６】
このため、作業者は、作業前や作業中あるいは作業後に、小さな投影範囲の投影部に表示された各種の情報内容を確認しにくいばかりか、多くの情報内容を一度に表示することができない。また、作業者がクリーンベンチの前に座って作業する際に、クリーンベンチ本体の前面側に突出するようにして外付けされたプロジェクタの存在が、作業の支障となるおそれがある。
【０００７】
本発明は、上記に鑑みてなされたもので、その目的とするところは、作業に必要な情報等の情報内容の表示を確認しやすく、多くの情報内容を一度に表示することができ、作業に支障が出ないようにすることができる表示機能を有する処理装置を提供することにある。
【課題を解決するための手段】
【０００８】
上記課題を達成するため、請求項１に記載の表示機能を有する処理装置は、作業空間と前記作業空間に通じる開口部を有する本体部と、前記本体部に設けられて前記本体部の前記開口部を開閉でき、前記作業空間内を観察可能な開閉扉と、を有し、前記開閉扉には、情報内容を表示するための平坦な表示装置が配置されていることを特徴とする。
【０００９】
請求項１に記載の表示機能を有する処理装置では、開閉扉には、情報内容を表示するための平坦な表示装置を配置する。このため、作業者は、作業に必要な情報等の情報内容の表示を、開閉扉を利用して配置された表示装置において確認しやすく、多くの情報内容を一度に表示することができる。また、平坦な表示装置は開閉扉に配置されているので、表示装置が作業者側に突き出ることがなく、開閉扉の開閉操作をスムーズに行うことができるので、表示装置が開閉扉に配置されていても、作業はこれまでと同様にして支障が出ないようにすることができる。
【００１０】
請求項２に記載の表示機能を有する処理装置では、前記表示装置は、前記開閉扉の全面に配置され、前記作業空間内を観察可能とする透光性を有していることを特徴とする。
【００１１】
請求項２に記載の表示機能を有する処理装置では、情報内容は、開閉扉の全面に配置された表示装置により表示することができる。このため、作業者は、作業に必要な情報等の情報内容の表示を確認しやすいだけでなく、開閉扉の広い面積を利用して開閉扉の全面にわたって表示装置を配置するので、多くの情報内容を表示できる。しかも、作業者は、開閉扉と表示装置を通じて、作業空間内を観察できるので、作業空間内での作業を、目視で確認しながら行える。
【００１２】
請求項３に記載の表示機能を有する処理装置では、前記表示装置は、有機エレクトロルミネッセンス表示パネルであることを特徴とする。
【００１３】
請求項３に記載の表示機能を有する処理装置では、表示装置としては有機エレクトロルミネッセンス表示パネルを用いることで、表示装置に表示された情報内容は、自発光により明確にしかも容易に確認することができる。
【００１４】
請求項４に記載の表示機能を有する処理装置では、前記表示装置は、液晶表示パネルであることを特徴とする。
【００１５】
請求項４に記載の表示機能を有する処理装置では、表示装置としては液晶表示パネルを用いることで、表示装置に表示された情報内容は、容易に確認することができる。
【００１６】
請求項５に記載の表示機能を有する処理装置では、前記表示装置は、前記情報内容を別々に表示可能な複数の区分表示領域を有することを特徴とする。
【００１７】
請求項５に記載の表示機能を有する処理装置では、複数の区分表示領域を用いることができるので、情報内容は、作業者が希望する任意の区分表示領域に表示したり、異なる情報内容を各区分表示領域に表示することができ、情報内容の表示に自由度を持たせることができる。
【発明の効果】
【００１８】
本発明によれば、作業に必要な情報等の情報内容の表示を確認しやすく、多くの情報内容を一度に表示することができ、作業に支障が出ないようにすることができる表示機能を有する処理装置を提供できる。
【図面の簡単な説明】
【００１９】
【図１】本発明の表示機能を有する処理装置の好ましい第１実施形態であるヒュームフードを示す正面図である。
【図２】図１に示すヒュームフードにおける内部構造例を示す縦方向の模式図である。
【図３】ヒュームフードの電気的な構成例と示すブロック図である。
【図４】表示装置の構造例を示す断面図である。
【図５】本発明の第２実施形態を示す図である。
【図６】本発明の第３実施形態を示す図である。
【図７】本発明の第４実施形態を示す図である。
【発明を実施するための形態】
【００２０】
以下、図面を用いて、本発明を実施するための形態(以下、実施形態と称する)を説明する。
【００２１】
（第１実施形態）
図１は、本発明の表示機能を有する処理装置の好ましい第１実施形態であるヒュームフード１を示す正面図である。図２は、図１に示すヒュームフード１における内部構造例を示す縦方向の模式図である。このヒュームフード１は、表示機能を有する処理装置の一例である。以下、表示機能を有する処理装置は、単に処理装置と略称する。
【００２２】
本発明の表示機能を有する処理装置の第１実施形態のヒュームフード１は、その前面開口部４の開閉扉としての可動ガラス扉５に、情報内容を表示するための平坦な表示装置３０を配置している。このため、作業者は、作業に必要な情報等の情報内容の表示を、可動ガラス扉５を利用して配置された平坦な表示装置３０において確認しやすく、多くの情報内容を一度に表示することができる。
【００２３】
図１と図２に示すヒュームフード１は、研究者や実験者等の作業者が、被処理物としての例えば微生物等の試料の無菌操作作業や各種の化学実験作業等、器具類を用いて実験や処理作業を行うために用いられる。
【００２４】
ヒュームフード１は、被処理物を外部に漏れないように封じ込めながら処理をするために、箱状の囲い部分である本体部２を有する。この本体部２はドラフト庫内１９を有する。ドラフト庫内１９の内部には、広い作業空間２０が確保されている。被処理物を内部の作業空間２０において処理する際に、作業者が被処理物の影響を受けないように、ドラフト庫内１９は、作業空間２０の雰囲気を外部から隔離する構造を有している。
【００２５】
このヒュームフード１は、作業者を有害物質から保護することを目的とした局所排気装置である。作業空間２０内における風量は好ましくは可変でき、作業空間２０内は、標準風量領域だけでなく、好ましくは低風量領域においても、スムーズな換気を実現して、危険物質や有害物質の封じ込めることができる封じ込め性能を有している。このため、有害な雰囲気が、作業者の側に漏洩しない。
【００２６】
特に、低風量型のヒュームフード１は、エネルギーコスト低減を目的として、少ないランニングコストで運転ができ、低風量型のヒュームフード１の排気風量は、一般的なヒュームフードの排気風量に比較して、例えば４０〜６０％低減できる。ヒュームフード１内の作業空間２０内に低風量ドラフトで空気を送ることで、通常の風量のドラフトを作業空間２０内に送る場合に比べて、ヒュームフード１の作動時の省エネルギー化（エコ化）や、低騒音化を図ることができる。
【００２７】
次に、図１と図２を参照して、処理装置の好ましい実施形態としてのヒュームフード１の構造例を、さらに説明する。
【００２８】
図１と図２に示すヒュームフード１の本体部２は、長方形状の前面部３を有している。この前面部３には、長方形状の前面開口部（開口部の一例）４が設けられている。
【００２９】
この前面開口部４には、開閉扉としての例えば長方形状の可動ガラス扉５と、例えば長方形状の固定ガラス部６が、設けられている。この可動ガラス扉５と固定ガラス部６は、前面開口部４内が見えるように透明板もしくは透光板であり、好ましくは強化ガラスを用いている。固定ガラス部６の面積は、可動ガラス扉５の面積に比べて小さく、固定ガラス部６は、本体部２に対してはめ込んで固定されていることで、前面開口部４の上部領域を閉じている。
【００３０】
図１と図２に示すように、可動ガラス扉５が最も下げられていて、前面開口部４のかなりの部分が閉鎖されている状態でも、可動ガラス扉５の上縁部分７は、固定ガラス部６の下縁部分８と重なっていることで、可動ガラス扉５と固定ガラス部６との間の接合部分の隙間を無くしている。可動ガラス扉５が最も下げられている状態では、前面開口部４における空気通路１７の開口面積は最も小さくなる。
【００３１】
図１と図２に示すように、本体部２は、前面部３と、左右の側面１２，１３と、背面部１４と、天井面１５を有している。図１に示すように、可動ガラス扉５の左右の縁部分５Ａ，５Ｂは、本体部２の前面部３のガラス案内部１１Ａ，１１Ｂにおいて、Ｚ方向（上下方向）に沿って、移動可能にはめ込まれている。可動ガラス扉５の下縁部分には、作業者が手で持って可動ガラス扉５を上げ下げするための把持部５Ｃが、設けられている。
【００３２】
図２に示すように、可動ガラス扉５の上縁部分７には、吊線材９の一端部が固定されている。この吊線材９は、滑車９Ａ，９Ｂにかかっており、吊線材９の他端部は、バランスウエイト９Ｃに固定されている。これにより、作業者が、この可動ガラス扉５の把持部５Ｃを持って、可動ガラス扉５を、バランスウエイト９Ｃとの釣り合いにより、スムーズにしかも容易にＺ方向に上下移動させることができる。従って、作業者は、作業内容に応じて、可動ガラス扉５を、手動で上げることで、図１に示す前面開口部４の空気通路１７の開口面積を任意に大きく拡げることができる。
【００３３】
図１に示すように、本体部２は、例えば浄化装置１６に接続されている。この浄化装置１６は、例えば排気用のファンと、空気から微粒子を除去する例えばＨＥＰＡフィルタ（高性能フィルタ）等を備え、作業空間２０内の空気を清浄化して排気し続けるようになっている。
【００３４】
これにより、例えば低風量の空気は、図２に示す前面開口部４の下部に形成されている空気通路１７を通じて、本体部２の内部の作業空間２０に入る。そして、作業空間２０内の空気は、作業空間２０内にある封じ込めるべき物質を含む雰囲気とともに、作業空間２０の背面側の排気孔２０Ｈを通じて背部通路２０Ｆに入り、背部通路２０Ｆから浄化装置１６のＨＥＰＡフィルタに通してろ過された後に、外部に排気されるようになっている。
【００３５】
図１と図２に示すように、本体部２のドラフト庫内１９は、作業空間２０を有している。この作業空間２０は作業面２１を有している。ドラフト庫内１９の作業空間２０は、本体部２の左右幅方向（Ｘ方向）に沿って形成され、しかも図２に示すように、本体部２の前後幅方向（Ｙ方向）に沿って形成され、Ｚ方向に沿って形成されているほぼ直方体形状の閉鎖空間である。図２に示すように、作業空間２０の作業面２１は、作業空間２０の底部を形成している。
【００３６】
この作業面２１の高さ位置は、作業者が作業用の椅子に座った状態で、前面開口部４の空気通路１７を通じて、手を入れて、作業空間２０内で所定の作業ができるように設定されている。また、本体部２の下部には、空間部ＳＰが設けられている。この空間部ＳＰには、作業用の椅子に座った作業者の膝を入れることができる。本体部２には、電源コンセント１０２等が設けられている。
【００３７】
次に、図１から図３を参照して、情報内容を表示するための表示装置３０について、説明する。図３は、ヒュームフード１の電気的な構成例と示すブロック図である。
【００３８】
図３に示すように、ヒュームフード１は、制御部１００を備えている。制御部１００は、図１に示す浄化装置１６のファンモータ１６Ｆに電気的に接続されており、このファンモータ１６Ｆを駆動制御する。制御部１００は、電源スイッチ１０１や電源コンセント１０２に電気的に接続されている。
【００３９】
制御部１００は、情報管理用のコンピュータ１１０に電気的に接続されている。コンピュータ１１０は、制御部１００側に各種の情報内容を供給したり、制御部１００側からの情報内容等を記憶することができる。その他、制御部１００は、情報記憶媒体１２０を接続する情報記憶媒体接続部１３０や、スピーカ等の音声発生部１４０に電気的に接続されている。情報記憶媒体１２０としては、例えばＵＳＢ（ユニバーサル・シリアル・バス）や、ＳＤメモリーカード等であるが、特に限定されない。
【００４０】
この情報内容の例としては、例えばヒュームフード１により行われる試験や実験手順の説明内容や、ヒュームフード１の操作手順を示す説明内容や、行ってはいけない事項を示す注意内容等であるが、特に限定されない。
【００４１】
図３に示す可動ガラス扉５の前面側の全面領域には、好ましくはシート状の薄型で平坦な（フラット状の）表示装置３０が配置されている。また、好ましくは、固定ガラス部６の前面側の全面領域には、好ましくはシート状の薄型で平坦な（フラット状の）表示装置３１が設けられている。この表示装置３０，３１は、好ましくは、有機ＥＬ（エレクトロルミネッセンス）表示パネルである。この表示装置３０，３１は、例えば可動ガラス扉５の前面側の全面領域と固定ガラス部６の前面側の全面領域に、例えば透明の接着剤や粘着剤を用いて直接貼り付けることで、それぞれ配置されている。
【００４２】
この表示装置３０，３１は、作業者が、外から目視で作業空間２０内を観察できるように、好ましくは透明性もしくは透光性を有している。この表示装置３０，３１としては、作業空間２０が本体部２の外側から目視できるようにするために、透過型ディスプレイあるいは透明ディスプレイを採用しており、表示装置３０，３１の表示画面の向こう側（奥側）である作業空間２０内の様子が透けて見える。
【００４３】
これにより、作業者は、表示装置３０と可動ガラス扉５を通して、作業空間２０内を、直接目視で観察することができるとともに、表示装置３１と固定ガラス部６を通して、作業空間２０内を、直接目視で観察することができる。このため、表示装置３０，３１が可動ガラス扉５の全面領域と固定ガラス部６の全面領域にそれぞれ配置されていても、作業者が作業空間２０内を観察することに支障がでないことから、ヒュームフード１における作業を効率よく行うことができる。
【００４４】
なお、開閉扉である可動ガラス扉５は、サッシとも呼ぶことができ、ヒュームフード１は、可動ガラス扉５の前面側において、薄型で平坦な表示装置３０，３１が配置されたディスプレイ兼用サッシ型ヒュームフードとも呼ぶことができる。また、固定ガラス部６には、表示装置３１を配置しない構成を採用することもできる。
【００４５】
図４は、表示装置３０，３１の構造例を示す断面図である。
【００４６】
図４に示すように、透明もしくは透光性を有する表示装置３０，３１の構造例を挙げれば、表示装置３０，３１は、２枚の対向する透明もしくは透光性を有する薄いガラス基板（もしくはプラスチック基板）３２，３３の間に、電極３４，３５と、有機層（発光層）３６を配置させることで構成されている。表示装置３０，３１は、制御部１００のドライバ１００Ｄにより、電極３４，３５に電圧を加えて有機層３６を発光させることで、表示装置３０，３１には、必要な情報内容を好ましくはカラー表示することができる。
【００４７】
表示装置３０，３１では、電極３４，３５に加える電圧を変えると、すぐに反応して、瞬時に色の強弱や発光のオン・オフを変えることができ、必要な動画や静止画の情報内容を、カラー表示することができる。電極３４，３５に対して加える電圧は、例えば数ボルト程度と低く、消費電力のムダが少なく、省エネルギーになる。有機層３６は、電圧をかけると有機層自体そのものが発光する性質があり、有機ＥＬディスプレイ表示パネルである表示装置３０，３１は、液晶表示パネルに必要なバックライト等の設置が不要である。
【００４８】
上述した情報内容は、例えば図３に示すコンピュータ１１０の記憶部１１０Ｍに記憶されてあるか、情報記憶媒体１２０に記憶されている。制御部１００のドライバ１００Ｄは、これらの記憶部１１０Ｍもしくは情報記憶媒体１２０に記憶されている情報内容を、可動ガラス扉５の表示装置３０の全面領域や、固定ガラス部６の表示装置３１の全面領域において、画像や文字等を、静止画もしくは動画でカラー表示させることができる。なお、この際に、制御部１００は、表示装置３０，３１に表示されている情報内容を説明するために、音声発生部１４０から情報内容の少なくとも一部を、音声で説明させることもできる。
【００４９】
このようにすることで、例えばヒュームフード１の前の椅子に座った作業者は、可動ガラス扉５の表示装置３０の全面領域や、固定ガラス部６の表示装置３１の全面領域において、作業に必要な情報内容を、静止画もしくは動画として目視と、必要に応じて音声で確認しやすい。
【００５０】
また、可動ガラス扉５と固定ガラス部６には、情報内容を表示するための例えばシート状の薄型の平坦な表示装置３０，３１を、例えば直接貼り付けることによりそれぞれ配置することができるので、表示装置３０，３１が突き出ることはなく、作業者が作業を行う際に、作業に支障が出ない。
【００５１】
特に、表示装置３０は、開閉扉５の前面において、好ましくは全面領域にわたって配置されているので、表示装置３０は、広い表示面積を確保でき、多くの情報内容を一度に表示することができる。また、平坦な表示装置３０は開閉扉５に配置されているので、従来と異なり、表示装置３０が作業者側に突き出ることがなく、開閉扉５の開閉操作をスムーズに行うことができるので、表示装置３０が開閉扉５に配置されていても、作業はこれまでと同様にして支障が出ないようにすることができる。
【００５２】
さらに、作業者は、音声発生部１４０からの音声を確認することで、さらに情報内容を聴覚で確認することができる。
【００５３】
このため、作業者は、作業内容等に関する情報内容を目視と聴覚で確認できるので、作業を間違いないように進めることができる。
【００５４】
作業者は、例えばコンピュータ１１０を操作することで、例えばシート状の平坦な表示装置３０，３１に表示されている情報内容の表示のオン・オフ操作が可能である。情報内容の情報量が少ない場合には、可動ガラス扉５の表示装置３０の全面領域だけを用いて情報内容を表示することができ、この場合には、固定ガラス部６の表示装置３１の全面領域での表示は行わなくてもよい。
【００５５】
なお、図３の例では、可動ガラス扉５の全面領域には、表示装置３０が設けられ、固定ガラス部６の全面領域には、表示装置３１が設けられているが、可動ガラス扉５の全面領域には、表示装置３０が設けられ、固定ガラス部６の全面領域には、表示装置３１が設けられていなくてもよい。
【００５６】
（第２実施形態）
次に、本発明の第２実施形態を、図５を参照して説明する。
【００５７】
図５は、本発明の第２実施形態を示しており、可動ガラス扉５の表示装置３０は、制御部１００のドライバ１００Ｄの指令により、その全面領域で情報内容を表示するのではなく、例えば左半分の区分表示領域３０Ａだけで表示して、右半分の区分表示領域３０Ｂでは表示しないようにすることができる。
【００５８】
また、可動ガラス扉５の表示装置３０は、制御部１００のドライバ１００Ｄの指令により、右半分の区分表示領域３０Ｂだけで表示して、左半分の区分表示領域３０Ａでは表示しないようにすることができる。
【００５９】
さらに、可動ガラス扉５の表示装置３０は、制御部１００のドライバ１００Ｄの指令により、左半分の区分表示領域３０Ａと右半分の区分表示領域３０Ｂでは、それぞれ異なる内容の情報内容を表示するようにしてもよい。
【００６０】
図示してはいないが、可動ガラス扉５の表示装置３０は、制御部１００のドライバ１００Ｄの指令により、表示装置３０の上半分の区分表示領域だけで表示をして、下半分の区分表示領域では表示しないようにすることもできる。また、可動ガラス扉５の表示装置３０は、制御部１００のドライバ１００Ｄの指令により、表示装置３０の下半分の区分表示領域だけで表示をして、上半分の区分表示領域では表示しないようにすることもできる。
【００６１】
（第３実施形態）
次に、本発明の第３実施形態を、図６を参照して説明する。
【００６２】
図６は、本発明の第３実施形態を示しており、可動ガラス扉５の表示装置３０は、その全面領域を複数の区分表示領域、例えば４つの区分表示領域３０Ｃ，３０Ｄ，３０Ｅ，３０Ｆに分けてある。可動ガラス扉５の表示装置３０は、制御部１００のドライバ１００Ｄの指令により、それぞれで区分表示領域３０Ｃ，３０Ｄ，３０Ｅ，３０Ｆにおいて、異なる情報内容の表示するようにしてもよい。
【００６３】
（第４実施形態）
次に、本発明の第４実施形態を、図７を参照して説明する。
【００６４】
図７は、本発明の第５実施形態を示しており、可動ガラス扉５の前面側の全面領域には、シート状の平坦な（フラットな）表示装置２３０が設けられ、固定ガラス部６の前面側の全面領域には、シート状の平坦な（フラットな）表示装置２３１が設けられている。この表示装置２３０，２３１は、例えば透過型のカラー液晶表示パネルを用いている。
【００６５】
この液晶表示パネル２３０，２３１は、好ましくは開閉扉である可動ガラス扉５の前面に配置され、作業空間内を観察可能な透光性を有している。すなわち、この表示装置２３０，２３１は、作業空間が外から目視できる透過型ディスプレイあるいは透明ディスプレイともいい、画面の向こう側である作業空間内が透けて見える。
【００６６】
これにより、作業者は、表示装置２３０と可動ガラス扉５を通して、作業空間内を目視で観察することができるとともに、表示装置２３１と固定ガラス部６を通して、作業空間２０内を目視で観察することができる。このため、表示装置２３０，２３１が可動ガラス扉５の全面領域と固定ガラス部６の全面領域に配置されていても、表示装置２３０，２３１において、作業者が作業空間２０内を観察することに支障がでない。このため、ヒュームフード１における作業を効率よく行うことができる。
【００６７】
ところで、液晶表示パネルである表示装置２３０，２３１は、自発光をしないので、照明光を与えるために、表示装置２３０，２３１には、例えばエッジ照明部２４０が配置されている。表示装置３０，３１は、制御部１００のドライバ１００Ｄにより、表示装置２３０，２３１には、必要な情報内容を表示できる。表示装置２３０，２３１は、それぞれ全面において、情報内容を表示することができる。しかし、表示装置２３０，２３１は、上述した有機エレクトロルミネッセンス表示パネルと同様に、異なる前記情報内容を表示可能な複数の区分表示領域を備えるようにしてもよい。
【００６８】
以上説明したように、本発明の表示機能を有する処理装置としての一例であるヒュームフード１は、作業空間２０と作業空間２０に通じる開口部としての前面開口部４を有し、作業空間２０で作業を行う際に前面開口部４を通じて空気を作業空間２０内に送る本体部２と、本体部２に設けられて本体部２の前面開口部４を開閉でき、作業空間２０内を観察可能な開閉扉としての可動ガラス扉５を有する。この可動ガラス扉５には、情報内容を表示するための平坦な表示装置３０（２３０）が配置されている。
【００６９】
これにより、可動ガラス扉５には、情報内容を表示するための平坦な表示装置３０（２３０）を配置する。このため、作業者は、作業に必要な情報等の情報内容の表示を、可動ガラス扉５を利用して配置された平坦な表示装置３０（２３０）において確認しやすく、多くの情報内容を一度に表示することができる。また、平坦な表示装置３０（２３０）は開閉扉５に配置されているので、表示装置３０（２３０）が作業者側に突き出ることがなく、開閉扉５の開閉操作をスムーズに行うことができる。このため、表示装置３０（２３０）が開閉扉５に配置されていても、作業はこれまでと同様にして支障が出ないようにすることができる。
【００７０】
表示装置３０は、可動ガラス扉５の全面に配置され、作業空間２０内を観察可能とする透光性を有している。これにより、情報内容は、可動ガラス扉５の全面に配置された表示装置３０により表示することができるので、作業者は、作業に必要な情報等の情報内容の表示を確認しやすい。また、可動ガラス扉５の広い面積を利用して可動ガラス扉５の全面にわたって表示装置３０（２３０）を配置するので、表示装置３０（２３０）は多くの情報内容を表示できる。しかも、作業者は、可動ガラス扉５と表示装置３０（２３０）を通じて、作業空間２０内を観察できるので、作業空間２０内での作業を、目視で確認しながら行える。
【００７１】
表示装置３０は、有機エレクトロルミネッセンス表示パネルであることで、表示装置３０に表示された情報内容は、自発光により明確にしかも容易に確認することができる。
【００７２】
表示装置２３０は、液晶表示パネルであることで、表示装置２３０に表示された情報内容は、容易に確認することができる。
【００７３】
表示装置３０（２３０）は、情報内容を別々に表示可能な複数の区分表示領域３０Ａ，３０Ｂ（３０Ｃ，３０Ｄ，３０Ｅ，３０Ｆ）を有する。これにより、情報内容は、作業者が希望する任意の区分表示領域に表示したり、異なる情報内容を各区分表示領域に表示することができる。このため、ヒュームフード１において、情報内容の表示に自由度を持たせることができる。
【００７４】
作業者は、ヒュームフードの作業空間内の空気の乱れを極力抑えるために、作業者の移動等は避けたい。しかし、一般に使用されているヒュームフードでは、作業者が、室外や処理装置の脇に設置されているディスプレイの表示を見るために作業者が移動すると、作業者の移動に伴ってヒュームフードの付近に負圧が生じて、ヒュームフードの内部の空気が外に流出したり、あるいは外部の空気が内部に流入する。
【００７５】
しかし、本発明の実施形態のヒュームフード１では、可動ガラス扉５の前面側において、薄型で平坦な表示装置３０，３１（２３０，２３１）が配置されているので、作業者は情報内容の確認のために移動する必要がなく、その場で表示装置３０，３１（２３０，２３１）に表示されている情報内容を見て確認することができる。これにより、ヒュームフード１等の低風量の処理装置における乱流の発生を未然に防ぐことができる。
【００７６】
以上、実施形態を挙げて本発明を説明したが、各実施形態は一例であり、特許請求の範囲に記載される発明の範囲は、発明の要旨を逸脱しない範囲内で種々変更できるものである。
【００７７】
本発明の処理装置の実施形態としては、封じ込め装置である上述した低風量型のヒュームフードの他に、通常の風量のヒュームフードであってもよく、他の種類の封じ込め装置等の各種の機器であってもよい。本発明の実施形態の処理装置は、被処理物を処理するための各種の装置を含む。
【００７８】
本発明の処理装置は、上述したヒュームフードの他の種類の装置、例えばドラフトチャンバー、クリーンベンチ、安全キャビネット、そして局所排気装置等の各種の異なる構造、（例えば、風向、風量、陰圧、陽圧等の動作条件が異なる構造）の装置であっても構わない。
【００７９】
ところで、可動ガラス扉５と固定ガラス部６では、有機ＥＬディスプレイや液晶表示装置の他に、例えば情報内容を、作業空間側に配置された画像を投影するためのプロジェクタにより、情報内容を可動ガラス扉５や固定ガラス部６のそれぞれ全面において投影するようにしてもよい。あるいは、プロジェクタは、ヒュームフード１から離れており作業者の作業に支障が出ない位置に配置して、可動ガラス扉５と固定ガラス部６の前面側に情報内容を投影するようにしてもよい。また、プロジェクタは、ヒュームフード１のドラフト庫内１９内に配置して、可動ガラス扉５と固定ガラス部６の内面側に情報内容を投影するようにしてもよい。
【００８０】
図１と図２に示す可動ガラス扉５は、手動でＺ方向に上下移動させて、前面開口部４の開口面積を変えることができる。しかし、別の実施形態としては、図示しない駆動部のモータを駆動することで、開閉扉（開閉シャッタ）としての可動ガラス扉５は、前面開口部４をＺ方向（上下方向）に自動的に開閉可能にすることもできる。
【符号の説明】
【００８１】
１      ヒュームフード（表示機能を有する処理装置の一例）
２      本体部
３      前面部
４      前面開口部（開口部）
５      可動ガラス扉（開閉扉の例）
６      固定ガラス部
２０    作業空間
３０    表示装置
３１    表示装置
２３０  表示装置
２３１  表示装置
【図１】
2020037078.tif 000003
【図２】
2020037078.tif 000004
【図３】
2020037078.tif 000005
【図４】
2020037078.tif 000006
【図５】
2020037078.tif 000007
【図６】
2020037078.tif 000008
【図７】
2020037078.tif 000009